(57)【要約】【課題】  最近、インターネットを利用した地図配信システムでは、ＧＰＳ機能付携帯電話にて取得した位置情報を地図上へ配置して閲覧するようになっている。このように、次から次へと地図上へ位置情報を追加するようになるにつれ、地図上で近接した位置情報を個々に選択、もしくは個々に識別するのが困難となってきた。【解決手段】  表示する地図に対して緯度範囲および経度範囲の１／２〜１／２０の範囲を調査範囲とする。さらに、位置情報のアイコンを個々に表示する代わりに、調査範囲を示すアイコンを表示して、地図とは別の欄に調査範囲の分析結果や位置情報の詳細を表示する。【選択図】    図３
2006259512.tif 000002
【特許請求の範囲】
【請求項１】
緯度および経度にて特定される位置情報を種類別の図形として地図上に表示する位置情報配信装置において、位置情報を図形として配置して地図を配信する地図配信手段と、前記地図の緯度範囲および経度範囲のそれぞれ１／２〜１／２０の範囲にて調査範囲を設定する調査範囲指定手段と、前記調査範囲内に存在する位置情報の図形の代わりに前記地図上に調査範囲を明示する調査範囲枠を表示する調査範囲枠表示手段と、前記調査範囲の緯度範囲および経度範囲に存在する複数の位置情報の詳細情報を個々に表示する詳細情報表示手段を有することを特徴とする位置情報配信装置。
【請求項２】
前記調査範囲の緯度範囲および経度範囲に存在する複数の位置情報について、種類別の統計もしくは種類別の比率を表示する調査結果表示手段を有することを特徴とする請求項１に記載の位置情報配信装置。
【発明の詳細な説明】
【技術分野】
【０００１】
本発明は、緯度および経度にて特定される位置情報を地図上に配置して配信する位置情報配信装置に関する。
【背景技術】
【０００２】
最近、インターネットを利用した地図配信システムでは、利用者がＧＰＳ機能付携帯電話にて取得した位置情報を、後に地図上へ配置してインターネットを介して閲覧する機能が紹介されている。
【０００３】
携帯電話を用いたＧＰＳ（Ｇｒｏｂａｌ  Ｐｏｓｉｔｉｏｎｉｎｇ  Ｓｙｓｔｅｍ）による位置情報の取得は、株式会社ＮＴＴドコモのＤＬＰサービス（登録商標）にて各種紹介されている。例えば、携帯電話にて取得した緯度および経度にて特定される位置情報を、携帯電話およびパソコンにて表示する地図上の地点としてアイコンなどの図形を用いて表示している。また、位置情報に緯度と経度の他に写真や文字情報などの情報を関連づけてデータベースなどに蓄積しておき、地図にアイコンを表示させるとともに、写真をパソコンにて表示させる位置情報配信システムも発表されている。例えば、位置情報と写真を関連付けて整理するシステムなども報告されている（例えば、特許文献１参照。）。
【０００４】
また、株式会社セコムのココセコム（登録商標）のように、株式会社ＫＤＤＩのＧＰＳ機能付携帯電話から位置情報をセンターへ通知して、センターの地図へ表示して第三者へ位置を確認させて救助を求めるサービスなども報告されている。また、地図をインターネットを介して配信する方法は、ｍａｐｓｅｒｖｅｒ（登録商標）などのように、サーバが受信した緯度および経度にて指定される地点の周辺の地図を、インターネットを介して配信するプログラムが無料にて配布されている。このプログラムでは、配信する地図上に位置情報を配置してインターネットを介して配信する機能が装備されている（例えば、非特許文献１参照。）。
【０００５】
また、地図上へ複数の位置情報を表示する方法については、属性情報の表示方法として、多次元的な属性情報を低次元の地図、図面情報の上に地図と図面を合致する仮想的な形式に変換して表示する方法などもある（例えば、特許文献２参照。）。例えば、ビルなどの１階と２階などの３次元的に重なる位置情報を、２次元情報にして地図とは別欄に表にして個々の情報の識別を可能としている。
【０００６】
【特許文献１】特開２００３−２２４８７７号公報
【特許文献２】特許第２８６５８５５号公報
【非特許文献１】ミネソタ大学、"MapServer Homepage"、[online]、平成１７年３月１日、ミネソタ大学、[平成１７年３月７日検索]、インターネット＜URL:http://mapserver.gis.umn.edu/＞
【発明の開示】
【発明が解決しようとする課題】
【０００７】
地図上へ多くの位置情報を順次追加するようになるにつれ、地図上で近接した位置情報を個々に選択、もしくは個々に識別するのが困難となっている。例えば、図１は、インターネットを介してｍａｐｓｅｒｖｅｒ（登録商標）を活用した位置情報配信装置から地図１０２を受信して、パソコンの表示装置１１０に表示させた図である。地図１０２は、例えばパソコンのブラウザソフトなどに緯度および経度を含むＵＲＬ１０１を指定して表示させる。この地図１０２上のアイコン１０５は、緯度と経度にて特定される位置情報を地
図１０２上に記載するために図形化して表記している。この位置情報はＧＰＳ機能付携帯電話より位置情報配信装置へ送信され蓄積されて、要求あり次第、図１のように表示する。
【０００８】
また、同様に地図サーバへ送信された、アイコン１０６とアイコン１０７は地図上で近接しており、それぞれの緯度および経度が近づくにつれて、それぞれを地図１０２上にて識別できない。同じ緯度および経度ならば、同一の地点とみなされてしまい、アイコンは重なってしまう。この時、例えば、アイコン１０６を選択するとアイコン１０６の詳細情報が表示されるような場合、アイコン１０７を押してしまうなど不便である。また、図１のように数個のアイコンが表示するならばアイコンの種類と分布も明らかだが、地図１０２に数万のアイコンを表示する場合には、多くのアイコンの形も識別が困難となり分布もわかりづらくなる。
【０００９】
また、特許文献３のように３次元情報を単に２次元情報に表示しただけでは、地図上で表示すべき位置情報が逐次に追加される用途では３次元情報への新たな位置情報の追加に対して、２次元情報の表示方法を再設定することになるなど利便性が悪い。また、３次元情報のうち、例えば建物の２階にて近接する２つの位置情報を表示する際も２次元情報の表記方法の再設定が必要となり、再設定なしに誤りなく識別することは困難である。
【００１０】
（発明の目的）
本発明は、近接して個々に識別困難となった位置情報を配置する地図を利用するにあたり、地図上の特定範囲の情報を効率よく取得して、さらに個々の位置情報を選択可能にする。
【課題を解決するための手段】
【００１１】
上記目的を達成するため、緯度および経度にて特定される位置情報を種類別の図形として地図上に表示する位置情報配信装置において、位置情報を図形として配置して地図を配信する地図配信手段と、前記地図の緯度範囲および経度範囲のそれぞれ１／２〜１／２０の範囲にて調査範囲を設定する調査範囲指定手段と、前記調査範囲内に存在する位置情報の図形の代わりに前記地図上に調査範囲を明示する調査範囲枠を表示する調査範囲枠表示手段と、前記調査範囲の緯度範囲および経度範囲に存在する複数の位置情報の詳細情報を個々に表示する詳細情報表示手段を有することを特徴とする位置情報配信装置を用いて、多数の位置情報を記載して配信する地図上において、位置情報を識別する調査を装置がおこなう、緯度および経度の範囲を明らかにし、さらに調査範囲の緯度範囲および経度範囲に存在する複数の位置情報の詳細情報を個々に表示することにより、調査範囲内の位置情報を個々に区別する。
【００１２】
さらに、本発明の位置情報配信装置は、前記調査範囲の緯度範囲および経度範囲に存在する複数の位置情報について、種類別の統計もしくは種類別の比率を表示する調査結果表示手段を有することを、調査範囲内の多数の位置情報に関して、種類別の統計、もしくは種類別の比率を明らかにする。
【発明の効果】
【００１３】
以上のように本発明の位置情報配信装置は、地図上に重なって表示された位置情報を特定範囲で概要を明らかにして、利用者に地図における一部の調査範囲の種類別の統計や比率をしり、調査範囲に存在する位置情報の詳細を閲覧するか、それとも別の調査範囲を閲覧するかの判断を可能にして利便性を高める。さらに、調査範囲内で近接した位置情報を個々に、確実に特定される手段を提供することにより、利用者が確実に個々の位置情報の詳細情報を表示して利便性を高める。
【発明を実施するための最良の形態】
【００１４】
以下、本発明の実施形態における位置情報配信装置について説明する。
(実施例１)  図２は、本発明を用いた際に利用者がインターネットを介して受信する地図の構成例であり、受信した地図をパソコンなどの表示装置で表示した図である。地図２０１と調査範囲枠２０４とアイコン２０５とアイコン２０６は、地図配信手段により配信される。また、同時に地図配信手段により詳細情報表示欄２２１に記載する情報も配信される。
【００１５】
図２において、本例の地点とは、アイコン２０５のように緯度および経度により特定される地図上の１点である。アイコン２０５は、地図配信手段により、地図２０１に存在する位置情報がデータベースより抽出されて地図２０１上に図形として表示される。本例の範囲とは、調査範囲２０４および地図２０１のように２次元の面であり、複数の地点を含む。地図２０１も範囲であり、経度範囲２１１と緯度範囲２１２を有し、最小値の緯度と最小値の経度にて特定される地点２０２と、最大値の緯度と最大値の経度にて特定される地点２０３を他の地図データとの境界として有する。地図に存在する位置情報とは、地図における最小値の緯度＜位置情報の緯度＜地図における最大値の緯度、および、地図における最小値の経度＜位置情報の経度＜地図における最大値の経度の両方に該当する位置情報である。
【００１６】
また、地図配信手段は、銀行をアイコン２０５のような菱形の図形にて表記し、さらにガソリンスタンドをアイコン２０６のような三角形の図形にて表記する。このように、地図配信手段は、銀行およびガソリンスタンドを、個々の位置情報として種類別に図形にて地図２０１へ記載する。
【００１７】
図２において、調査範囲２０４は、緯度の範囲を経度範囲２１３、さらに緯度の範囲を緯度範囲２１４として有する。調査範囲２０４は調査範囲指定手段により設定され、調査範囲枠表示手段にて地図へ記載される。調査範囲枠表示手段を利用しなければ、調査範囲２０４には複数の位置情報がアイコンとして地図２０１へ表示されるが、本例ではアイコンを表示させる代わりに、調査範囲２０４のような枠を表示させる。
【００１８】
図２において、また、詳細情報表示手段により、各位置情報が調査結果表示欄２２１に個別に表記される。例えば、アイコン２２４と位置情報の詳細情報を表示するリンクボタン２２５を記載して、調査範囲２０４に存在する位置情報を個別に表記する。リンクボタン２２５は、例えば、位置情報の代表的な名称などでもよい。本例では店の名称を表示している。同様に調査範囲２０４に存在する他の位置情報も表記されればよい。また、調査結果表示手段により、調査結果表示欄２２１へ調査範囲２０４に存在する位置情報を種類別に統計して数字で表記してもよく、例えば種類別に存在する数の比率で表記してもよい。本例では、比率を円グラフとして、選択範囲２０４内に存在する銀行とガソリンスタンドの総計に対する、銀行の比率を比率２２２として、ガソリンスタンドの比率を比率２２３として表示する。統計とは、銀行が３件、ガソリンスタンドが８件などと表記されればよい。
【００１９】
(実施例２)  図３および図４を用いて説明する。図３において、本システムは、位置情報配信装置３０１、位置情報表示装置３０２、情報伝送路３０３とからなる。図３において、位置情報配信装置３０１は、緯度および経度にて特定される位置情報を種類別の図形として地図上に表示する位置情報配信装置であり、調査範囲指定手段１と地図配信手段２と調査範囲枠表示手段３を有する。さらに、調査結果表示手段４および詳細情報表示手段５を有しても良い。
【００２０】
図３において、位置情報配信装置３０１は、コンピュータやサーバなどの情報処理装置
や、サーバとデータベースをＬＡＮなどで構成される情報処理システムであればよい。位置情報表示装置３０２から、特定の緯度および特定の経度を受信すると、その地点を中心に記憶する地図情報から周辺の地図情報を検索して、必要な地図情報を要求元へ送信する。例えば、図１のようにある地点を中心とした、地点１０３と地点１０４に囲まれる地図を要求元に配信すればよい。位置情報配信装置３０１は、図４においてはデータベース４０１ａとサーバ４０１ｂとＬＡＮ４０１ｃにて構成されている。
【００２１】
図３において、調査範囲指定手段１は、前期地図の緯度範囲および経度範囲の１／２〜１／２０の範囲にて調査範囲を指定する。緯度範囲を地図の１／２より大きい範囲を設定すると調査範囲以外の位置情報のアイコンの分布を把握するのに面積が小さく、一見しての把握は難しくなる傾向にある。また、１／２０より小さい範囲を設定すると調査範囲の位置情報が少なく個々の位置情報のアイコンとの区別がつかなくなり利便性が悪くなる傾向にある。調査範囲は、図３の位置情報表示装置３０２を用いて、利用者３０４が緯度および経度の数値にて指定されればよい。また、位置情報表示装置３０２に表示されている地図上にてマウスなどの入力装置を利用して指定してもよい。位置情報配信装置３０１は、利用者３０４が指定した調査範囲を位置情報表示装置３０２より受信して、データベースなどの調査範囲記憶手段に記憶しておけばよい。
【００２２】
図３において、地図情報配信手段２は、特定の緯度および経度の範囲にて指定される地図を位置情報表示装置３０２へ配信する。位置情報表示装置３０２は位置情報表示手段１３により、地図情報配信手段２より受信した地図を表示する。位置情報表示手段１３にて表示される地図を利用者３０４が利用する場合において、少なくとも地図上の調査範囲内に存在する、重なったアイコンに見えるが異なる位置情報を利用者３０４が個々に識別して、さらに個々の詳細な情報を利用者３０４が容易に取得する。本例での地図配信手段２は、非特許文献２のｍａｐｓｅｒｖｅｒ（登録商標）を利用して構成した。また、携帯電話などから送られる位置情報は、メールなどで送られてもよく、メールに記載された緯度と経度を位置情報配信装置３０１が抽出してデータベースなどの位置情報記憶手段に蓄積すればよい。さらに、緯度および経度にて特定される位置情報をデータベースより取得して地図に図形として表示する。また、データベースに蓄積された位置情報を取得して、ｍａｐｓｅｒｖｅｒ（登録商標）を利用して地図へ記載して配信するよう構成した。
【００２３】
図３において、調査範囲枠表示手段３は、前期調査範囲内に表示すべき位置情報の図形を表示させないと伴に地図に前期調査範囲を明示する。図２の地図２０１における調査範囲は、２０４のように斜線の枠で表示した内側の部分である。本例では、地図に表示する位置情報をデータベースより抽出し、さらに調査範囲に存在する位置情報をデータベースより抽出し、両方で抽出された位置情報の図形を地図へ表示させないようにしている。
【００２４】
また、調査範囲の緯度および経度にある地点に関して、最小の緯度と最小の経度で指定される地点での表示色を赤などにする。また、調査範囲では、色を変えると伴に、薄く地図の模様を透かして地図に表示するようにしてもよい。また、調整範囲では、最小値の緯度と最大値の緯度、および最小値の経度と最大値の経度を結んだ枠線で地図に表示してもよい。
【００２５】
図３において、調査結果表示手段４は、前記調査範囲内に存在する位置情報をデータベースより取得して、種類別に統計して数字などで表示したり、または種類別に比率を表示する。図３において、詳細情報表示手段５は、前期調査範囲内の位置情報の詳細情報を個々に表示する。
【００２６】
図３において、位置情報表示装置３０２は、インターネットを介して情報を取得するパソコンや携帯機器などでよい。パソコンとは、図４のようにインターネット４０３に接続
されたパソコン４０２であればよい。携帯機器とは、例えば、図４のように携帯電話４０４であり、ＧＰＳ機能付き携帯電話、カメラ付携帯電話、ＰＤＡなどでもよい。携帯機器の場合は、ＧＰＳ衛星４０６ａから無線４０６ｂにてＧＰＳ情報を取得して緯度と経度を特定して、無線４０５ｃと基地局４０５ｂと無線電話通信網４０５ａとインターネット４０３を介してデータベース４０１ａに位置情報を登録してもよく、位置情報をデータベース４０１ａより取得してもよい。
【００２７】
（実施例３）利用方法の一例として、図３において、利用者３０４が、位置情報表示装置３０２を用いて、調査範囲指示手段１１にて表示中の地図から緯度および経度の範囲で調査範囲として指定する。調査範囲は情報伝送路３０３を介して位置情報配信配置装置３０１へ送信される。位置情報配信装置３０１は、調査範囲を調査範囲指定手段１に設定してデータベースなどに保管しておく。利用者３０４が頻繁に調査範囲を変更する場合は、位置情報要求手段１２にて地図の要求と伴に調査範囲を送信して調査範囲指定手段１にて設定してもよい。
【００２８】
図３において、利用者３０４が位置情報を閲覧する際に、位置情報要求手段１２にて地図の中心となる地点の緯度と経度と、さらに取得する範囲を送信すると、位置情報配信装置３０１は地図配信手段２にて記憶する地図データより該当する地図を位置情報表示装置３０１に返信する。この時、地図配信手段２では、データベースに記録された複数の位置情報より要求された地図の範囲に存在する位置情報を、緯度および経度の値を利用して抽出して地図上に図形として配置して配信する。位置情報表示装置３０１は受信した地図を表示して、利用者３０１へ閲覧させる。
【００２９】
図３において、位置情報配信装置３０１は、調査範囲指定手段１により調査範囲を指定されていると、地図配信手段２を用いて地図を配信する前に、調査範囲枠表示手段３にてデータベースに記憶する複数の位置情報もしくは、地図配信手段２にて既に抽出した位置情報の中から、調査範囲に存在する位置情報を、緯度および経度を利用して抽出して特定する。調査範囲枠表示手段３において地図に存在する位置情報より調査範囲に存在する位置情報を取り除き、地図配信手段２において配信する地図にアイコンを記載して配信する。
【００３０】
図３において、調査結果表示手段４により、調査範囲に存在する位置情報の種類別の統計、もしくは種類別の比率を計算してグラフ画像化して、地図配信手段２において配信する地図と伴に配信してもよい。図３において、詳細情報表示手段５により、調査範囲に存在する位置情報の詳細情報を表示するために必要な情報を、地図配信手段２において配信する地図と伴に配信してもよい。
【図面の簡単な説明】
【００３１】
【図１】従来の位置情報配信装置が配信する画面である。
【図２】本発明の実施例１における位置情報配信装置が配信する画面である。
【図３】本発明の実施例２および実施例３における位置情報配信装置の構成を示す図である。
【図４】本発明の実施例２における位置情報配信装置の構成を示す図である。
【符号の説明】
【００３２】
１  調査範囲指定手段
２  地図配信手段
３  調査範囲枠表示手段
４  調査結果表示手段
５  詳細情報表示装置
１１  調査範囲指示手段
１２  位置情報要求手段
１３  位置情報表示手段
１０１  ＵＲＬ
１０２  地図
１０３  地点
１０４  地点
１０５  アイコン
１０６  アイコン
１０７  アイコン
１１０  表示装置
２０１  地図表示欄
２０２  地点
２０３  地点
２０４  調査範囲
２０５  アイコン
２０６  アイコン
２１１  経度範囲
２１２  緯度範囲
２１３  緯度範囲
２１４  緯度範囲
２２１  詳細情報表示欄
２２２  ガソリンスタンドの件数が占める比率
２２３  銀行の件数が占める比率
２２４  銀行のアイコン
２２５  位置情報の詳細表示ボタン
３０１  位置情報配信装置
３０２  位置情報表示装置
３０３  情報伝送路
４０１ａ  データベース
４０１ｂ  サーバ
４０１ｃ  ＬＡＮ
４０２  パソコン
４０３  インターネット
４０４  携帯電話
４０５ａ  無線電話通信網
４０５ｂ  基地局
４０５ｃ  無線電波
４０６ａ  ＧＰＳ衛星
４０６ｂ  無線電波
【図１】
2006259512.tif 000003
【図２】
2006259512.tif 000004
【図３】
2006259512.tif 000005
【図４】
2006259512.tif 000006